(57)【要約】【課題】構成の簡略化と小型コンパクト化を図りつつ、オゾン水を短時間で効率良く生成することができるオゾン水生成モジュールを提供すること。【解決手段】水を貯留するタンク５３を備えた装置に設けられ、オゾン発生器２において発生したオゾンを前記タンク５３内の水に融解させることによってオゾン水を生成するオゾン水生成モジュール１において、前記タンク５３内に、前記オゾン発生器２と、該オゾン発生器２にて発生したオゾンと前記タンク５３内の水とを混合させながら流すことによってオゾン水を生成する螺旋状パイプ３を組み込む。又、前記オゾン発生器２にて発生したオゾンと前記タンク５３内の水との攪拌によってナノサイズのオゾン含有気泡を発生させるナノバブル化装置１０を設ける。【選択図】図２
2015020149.tif 000002
【特許請求の範囲】
【請求項１】
水を貯留するタンクを備えた装置に設けられ、オゾン発生器において発生したオゾンを前記タンク内の水に融解させることによってオゾン水を生成するオゾン水生成モジュールにおいて、
前記タンク内に、前記オゾン発生器と、該オゾン発生器にて発生したオゾンと前記タンク内の水とを混合させながら流すことによってオゾン水を生成するパイプを組み込んだことを特徴とするオゾン水生成モジュール。
【請求項２】
前記パイプは、螺旋状、アミダ状、迷路状等により、前記タンク内でのパイプ長が、直線状のものより長くされていることを特徴とする請求項１記載のオゾン水生成モジュール。
【請求項３】
前記オゾン発生器にて発生したオゾンと前記タンク内の水との攪拌によってナノサイズのオゾン含有気泡を発生させるナノバブル化装置を設けたことを特徴とする請求項１又は２記載のオゾン水生成モジュール。
【請求項４】
前記パイプに開口する取水口の近傍に、前記オゾン含有気泡の前記パイプ外への流出を防ぐ逆止弁を設けたことを特徴とする請求項３記載のオゾン水生成モジュール。
【発明の詳細な説明】
【技術分野】
【０００１】
本発明は、オゾンを含有するオゾン水を生成するためのオゾン水生成モジュールに関するものである。
【背景技術】
【０００２】
例えば、オゾン水を用いて便器を洗浄する便器洗浄装置が知られており、これによれば、オゾンが有する脱臭、殺菌、防汚効果を利用して便器を清潔且つ衛生的に保つことができる。
【０００３】
ところで、斯かる便器洗浄装置に関して、特許文献１には、オゾン発生器と微細気泡発生器を設け、オゾン発生器において発生したオゾンを微細気泡発生器に導き、該微細気泡発生器においてオゾンとタンク内の水とを攪拌してマイクロバブル化して得られるオゾン含有気泡を発生させ、このオゾン含有気泡をタンク内の水に溶け込ませてオゾン水を生成する構成が提案されている。
【先行技術文献】
【特許文献】
【０００４】
【特許文献１】特開２００６−２４９６６１号公報
【発明の概要】
【発明が解決しようとする課題】
【０００５】
しかしながら、特許文献１において提案された便器洗浄装置においては、オゾンをマイクロバブル化して水に溶け込ませ易くしてはいるが、オゾン含有気泡を流す流路の構成が単純であるため、オゾンと水とが効率良く混ざり合っていない可能性があり、オゾン水を効率良く生成することができないという問題がある。この問題を解消するには、気泡が水に触れている時間を稼ぐために特別な流路を設ける等の工夫が必要であり、構成が複雑化してしまう。
【０００６】
又、オゾン発生器や微細気泡発生器が便器やタンクとは別に設置されているため、設備全体の設置に広いスペースが必要となり、狭いトイレ内での設備の設置が困難となるという問題がある。更に、オゾン発生器や微細気泡発生器が便器やタンクとは別に設置されていると、水を循環させるポンプの他に、オゾンを循環させるポンプが必要となり、構成部品が多くなって設備の大型化とコストアップを招くという問題もある。
【０００７】
本発明は上記問題に鑑みてなされたもので、その目的とする処は、構成の簡略化と小型コンパクト化を図りつつ、オゾン水を短時間で効率良く生成することができるオゾン水生成モジュールを提供することにある。
【課題を解決するための手段】
【０００８】
上記目的を達成するため、請求項１記載の発明は、水を貯留するタンクを備えた装置に設けられ、オゾン発生器において発生したオゾンを前記タンク内の水に融解させることによってオゾン水を生成するオゾン水生成モジュールにおいて、前記タンク内に、前記オゾン発生器と、該オゾン発生器にて発生したオゾンと前記タンク内の水とを混合させながら流すことによってオゾン水を生成するパイプを組み込んだことを特徴とする。
【０００９】
請求２記載の発明は、請求項１記載の発明において、前記パイプは、螺旋状、アミダ状、迷路状等により、前記タンク内でのパイプ長が、直線状のものより長くされていることを特徴とする。
【００１０】
請求項３記載の発明は、請求項１又は２記載の発明において、前記オゾン発生器にて発生したオゾンと前記タンク内の水との攪拌によってナノサイズのオゾン含有気泡を発生させるナノバブル化装置を設けたことを特徴とする。
【００１１】
請求項４記載の発明は、請求項３記載の発明において、前記螺旋状パイプに開口する取水口の近傍に、前記オゾン含有気泡の前記螺旋状パイプ外への流出を防ぐ逆止弁を設けたことを特徴とする。
【発明の効果】
【００１２】
請求項１記載の発明によれば、オゾン発生器にて発生するオゾンとタンク内の水がパイプを流れる過程で、両者が効率良く攪拌混合されてオゾンが水に効果的に融解するため、オゾン水が短時間で効率良く生成される。そして、このようなオゾン水生成プロセスが繰り返されることによって、タンク内の水のオゾン濃度が次第に高められ、オゾン濃度が高められたオゾン水を洗浄水として使用することによって、オゾンが有する脱臭、殺菌、防汚効果を発揮させることができる。
【００１３】
又、本発明によれば、オゾン発生器とパイプをタンク内に組み込んだため、オゾン水生成モジュールを備える装置の構成が簡略化されて該装置が小型コンパクト化され、オゾン水生成モジュールを設けることによって装置の設置スペースが拡大することがない。
【００１４】
請求項２記載の発明によれば、タンク内でのパイプ長を長く設定し、螺旋状、アミダ状、迷路状等の形状により、オゾンとタンク内の水がパイプを流れる過程で、更に効率良く攪拌混合されてオゾンが水に効果的に融解するため、オゾン水が短時間で効率良く生成される。
【００１５】
請求項３記載の発明によれば、ナノバブル化装置によって、オゾン発生器にて発生したオゾンとタンク内の水とを攪拌してナノサイズの微細なオゾン含有気泡を発生させ、このオゾン含有気泡とタンク内の水とを螺旋状パイプに流すようにしたため、両者の螺旋状パイプを流れる過程での攪拌混合が一層効果的になされ、オゾンの水への融解が促進されてオゾン水が短時間で一層効率的に生成される。
【００１６】
請求項４記載の発明によれば、螺旋状パイプに開口する取水口の近傍に設けられた逆止弁によってオゾン含有気泡の螺旋状パイプ外への流出が防がれるため、螺旋状パイプの機能が十分果たされ、該螺旋状パイプ内でのオゾン含有気泡と水との攪拌混合が効果的になされてオゾン水が短時間で効率的に生成される。
【図面の簡単な説明】
【００１７】
【図１】本発明に係るオゾン水生成モジュールを備えた便器の破断平面図である。
【図２】本発明に係るオゾン生成モジュールの構成を示す模式的断面図である。
【図３】本発明に係るオゾン生成モジュール２設けられたオゾン発生器の構成の詳細を示す模式的断面図である。
【図４】本発明の別形態に係るオゾン生成モジュールの構成を示す模式的断面図である。
【発明を実施するための形態】
【００１８】
以下に本発明の実施の形態を添付図面に基づいて説明する。
【００１９】
図１は本発明に係るオゾン水生成モジュールを備えた便器の破断平面図、図２は同オゾン生成モジュールの構成を示す模式的断面図、図３は同オゾン生成モジュール２設けられたオゾン発生器の構成の詳細を示す模式的断面図である。
【００２０】
本実施の形態では、図２に示す本発明に係るオゾン水発生モジュール１を図１に示す便器５０の洗浄装置に対して適用しており、図１に示す便器５０には、開閉可能な便座５１と便蓋５２が設けられており、便器５０の背後（図１の上側）には密閉された矩形ボックス状のタンク５３が配置されている。
【００２１】
而して、便器５０の洗浄装置は、オゾン水を用いて便器５０を洗浄するものであって、これは前記タンク５３と本発明に係るオゾン水生成モジュール１によって構成されている。そして、本発明に係るオゾン水生成モジュール１は、図２に示すように、タンク５３内に組み込まれたオゾン発生器２と螺旋状パイプ３、吸気管４、ポンプ５、活性炭フィルタ６等を含んで構成されている。
【００２２】
図２に示すように、上記タンク５３の上端側部には給水管７が接続され、下端側部には排水管８が接続されている。ここで、給水管７は、トイレ洗浄用水としての水道水をタンク５３内に供給するためのものであって、便器５０の不使用時には、タンク５３内には所定量の水道水が貯留されている。又、前記排水管８は、図１に示す便器５０に接続されており、トイレの使用者がトイレ使用後に不図示のレバー等を操作することによって、後述のようにタンク５３内に生成されたオゾン水が洗浄水として排水管８から便器５０へと流れ、このオゾン水が便器５０の洗浄に供される。
【００２３】
ところで、タンク５３内の下部には前記オゾン発生器２が組み込まれており、図３に詳細に示すように、オゾン発生器２には、オゾンを発生させる放電ランプ９と、該放電ランプ９による光の照射によって発生したオゾンとタンク５３内の水道水の一部との攪拌によってナノサイズのオゾン含有気泡を発生させるナノバブル化装置１０が設けられている。ここで、放電ランプ９は、１８５ｎｍの波長の光を発する光源を備え、前記ポンプ５によって吸気管４から供給される空気に含まれる酸素をオゾンに変化させるものである。尚、オゾン発生器２とポンプ５は、コード１１，１２の端部にそれぞれ接続されたプラグ１３，１４を不図示のコンセントに差し込むことによって家庭用電源に接続されている。或いは、１つの電源回路からポンプとオゾン発生器を駆動しても良い。
【００２４】
上記オゾン発生器２には、タンク５３外に配置された前記吸気管４が接続されており、該吸気管４は、オゾン発生器２から水平に延びた後に垂直に起立しており、その上端には吸気口４ａが開口している。そして、吸気管４の水平部には前記ポンプ５が設けられており、このポンプ５もタンク５３外に配置されている。このようにポンプ５がタンク５３外に配置されているため、このポンプ５には防水構造の特殊なものを用いる必要がなく、一般的に販売されている汎用のものを用いることができる。
【００２５】
タンク５３内の前記オゾン発生器２の上方には前記螺旋状パイプ３が配置されており、この螺旋状パイプ３は、２本のパイプ１５，１６を螺旋状に巻回して構成されている。そして、２本のパイプ１５，１６の各下端は前記ナノバブル化装置１０に接続されており、２本のパイプ１５，１６の上端は１本のＴ字管１７に合流しており、このＴ字管１７は、タンク５３の上部に開口する不図示の排気口に配置された前記活性炭フィルタ６に接続されている。尚、Ｔ字管１７の左右両端は、タンク５３内の上部に開口している。
【００２６】
又、螺旋状パイプ３を構成する２本のパイプ１５，１６の各下端部からは短い取水管１８，１９が分岐しており、各取水管１８，１９の端部はそれぞれ取水口１８ａ，１９ａとしてタンク５３内の水道水中に開口している。そして、各取水管１８，１９の分岐部には逆止弁２０が設けられており、後述のようにナノバブル化装置１０によってナノバブル化された微細なオゾン含有気泡の螺旋状パイプ３外への流出が逆止弁２０によって防がれる。
【００２７】
前記活性炭フィルタ６は、後述のように螺旋状パイプ３を上方に向かって流れるオゾン含有気泡のうち、水道水に溶け切れなかった気体のオゾンを分解して排気するためのものである。
【００２８】
次に、以上のように構成された本発明に係るオゾン水生成モジュール１を備える洗浄装置の作用について説明する。
【００２９】
トイレの使用者がトイレ室内に入室して便器５０の便座５１に着座すると、そのことが着座スイッチ等の不図示のセンサによって検知され、ポンプ５が駆動されるとともに、オゾン発生器２とナノバブル化装置１０に通電されてこれらが駆動される。
【００３０】
上述のようにポンプ５が駆動されると、トイレ室内の空気が吸気管４の吸気口４ａから吸気管４内に吸引され、この空気は、吸気管４を通ってオゾン発生器２へと送り込まれる。オゾン発生器２においては、放電ランプ９の点灯によって空気中の酸素がオゾンに変化し、このオゾンは図３に矢印にて示すようにナノバブル化装置１０へと送り込まれる。ナノバブル化装置１０においては、オゾンとタンク５３内の水道水とが激しく攪拌混合されてナノサイズの白濁した微細なオゾン含有気泡が発生し、このオゾン含有気泡は螺旋状パイプ３へと送り出される。
【００３１】
上述のように螺旋状パイプ３へと送り出されたオゾン含有気泡が螺旋状パイプ３の２本の各パイプ１５，１６を流れると、その流れによって２本の各取水管１８，１９には負圧が発生するため、この負圧に引かれてタンク５３内の水道水が図２に矢印にて示すように取水口１８ａ，１９ａから取水管１８，１９へと流れ込み、逆止弁２０を開けて各パイプ１５，１６へと流れ込む。すると、各パイプ１５，１６においてオゾン含有気泡と水道水が混合し、両者が各パイプ１５，１６を流れながら上昇する過程でオゾンが水道水に溶解してオゾン水が生成される。この場合、パイプは１５，１６螺旋状を成しているためにその長さが長く、これらのパイプ１５，１６を旋回しながらオゾン含有気泡と水道水が混合しながら流れる時間が長くなる。このため、オゾン含有気泡に含まれるオゾンが水道水に接触する時間が長くなり、オゾンが水道水に溶け込み易くなって、オゾン水が効率的に生成される。
【００３２】
そして、上述のようにして生成されたオゾン水は、螺旋状パイプ３のＴ字管１７へと流れ、該Ｔ字管１７の左右の開口部からタンク５３内を落下し、タンク５３内に貯留されている水道水に加えられ、両者が混合することによってタンク５３内の水道水はオゾン水へと変化していく。尚、螺旋状パイプ３をオゾン含有気泡と水道水が混合しながら流れる過程で水道水に溶け切れなかったオゾンは、活性炭フィルタ６を通過することによって分解された後、タンク５３の上部に開口する不図示の排気口から外部に排出される。因に、オゾンは、空気中へ放出されると徐々に分解していくが、毒性を有するとともに、独特の臭気を発するため、オゾンを気体のままトイレ室内に排出することは望ましくない。
【００３３】
而して、上記のようなオゾン水の生成プロセスが繰り返されることによって、タンク５３内に貯留されるオゾン水の濃度が次第に高められる。そして、トイレの使用後に使用者が不図示のレバー等を操作すると、タンク５３内において生成されて貯留されているオゾン水が排水管８から便器５０へと流れ込んで該便器５０を洗浄するため、オゾンが有する脱臭、殺菌、防汚効果によって便器５０が清潔且つ衛生的に保たれる。尚、使用者によるトイレの使用時間は平均的には３０秒であるため、その３０秒の間にタンク５３内でオゾン水が生成される。
【００３４】
以上のように、本発明に係るオゾン水生成モジュール１によれば、オゾン発生器２にて発生するオゾンとタンク５３内の水が螺旋状パイプ３を流れる過程で、両者が効率良く攪拌混合されてオゾンが水に効果的に融解するため、オゾン水が短時間で効率良く生成される。そして、このようなオゾン水生成プロセスが繰り返されることによって、タンク５３内の水のオゾン濃度が次第に高められ、オゾン濃度が高められたオゾン水を洗浄水として使用することによって、オゾンが有する脱臭、殺菌、防汚効果を発揮させることができる。
【００３５】
又、オゾン発生器２と螺旋状パイプ３をタンク５３内に組み込んだため、オゾン水生成モジュール１を備える洗浄装置の構成が簡略化されて該洗浄装置が小型コンパクト化され、オゾン水生成モジュール１を設けることによって洗浄装置の設置スペースが拡大することがない。そして、吸気管４からオゾン発生装置２への空気の送り込みと、ナノバブル化装置によってナノバブル化された気泡の螺旋状パイプへの送り込み、螺旋状パイプの取水管１８，１９への水道水の吸引、オゾン含有気泡と水道水の螺旋状パイプ３内での摺動等に要する動力は１台のポンプ５によって賄われるため、ポンプ５以外の別のポンプを設ける必要がなく、オゾン水生成モジュール１の構成部品点数を削減してコストダウンを図ることができる。
【００３６】
更に、本発明に係るオゾン水生成モジュール１によれば、オゾン発生器２にて発生したオゾンとタンク５３内の水とをナノバブル化装置１０によって攪拌してナノサイズの微細なオゾン含有気泡を発生させ、この微細なオゾン含有気泡とタンク５３内の水道水とを螺旋状パイプ３に流すようにしたため、両者の螺旋状パイプ３を流れる過程での攪拌混合が一層効果的になされ、水に溶けにくいオゾンの水道水への融解が促進されてオゾン水が短時間で一層効率的に生成される。
【００３７】
又、螺旋状パイプ３の取水管１８，１９に開口する取水口１８ａ、１９ａの近傍に設けられた逆止弁２０によってオゾン含有気泡の螺旋状パイプ３外への流出が防がれるため、螺旋状パイプ３の機能が十分果たされ、該螺旋状パイプ３内でのオゾン含有気泡と水道水との攪拌混合が効果的になされてオゾン水が短時間で効率的に生成される。
【００３８】
ところで、以上の実施の形態では、吸気管４をタンク５３の外に設置したが、図４に示すように、吸気管４の大部分をタンク５３内に組み込むようにしても良い。
【００３９】
又、以上の実施の形態では、パイプを螺旋状パイプ３の例で説明したが、パイプはアミダ状や迷路状等の形状としても良い。このような形状により、パイプ長を直線状のものより長くすることができ、曲がりくねったものとすることができるため、オゾンとタンク内の水がパイプを流れる過程で、効率良く攪拌混合されてオゾンが水に効果的に融解するため、オゾン水が短時間で効率良く生成される。
【００４０】
尚、以上は本発明に係るオゾン水生成モジュールをトイレの便器洗浄装置に適用した形態について説明したが、本発明２係るオゾン水生成モジュールは、キッチン、洗面所、風呂、洗濯機、食洗機等の洗浄装置に対しても同様に適用可能であることは勿論である。
【符号の説明】
【００４１】
１          オゾン水生成モジュール
２          オゾン発生器
３          螺旋状パイプ
４          吸気管
５          ポンプ
６          活性炭フィルタ
７          給水管
８          排水管
９          放電ランプ
１０        ナノバブル化装置
１８，１９  取水管
２０        逆止弁
【図１】
2015020149.tif 000003
【図２】
2015020149.tif 000004
【図３】
2015020149.tif 000005
【図４】
2015020149.tif 000006